【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
あらかじめ定めた格納場所に入力されたデータに対して予め定めた処理を実行するホットフォルダ機能を有する他の画像形成装置と通信可能であり、複数の処理工程を組み合わせた一連の処理であるワークフローを実行可能な画像形成装置であって、
前記他の画像形成装置が提供するホットフォルダ機能を用いる処理に必要なハードウェア上の処理部を、前記他の画像形成装置から受信したホットフォルダ機能に関する情報に基づいて決定する決定手段と、
前記ホットフォルダ機能を用いる処理工程を含むワークフローが選択された場合、当該ホットフォルダ機能を提供する他の画像形成装置に対して、前記決定手段により決定された処理部の電源を稼働状態に復帰させる復帰要求を送信する要求手段と、
前記要求手段による復帰要求送信後に、当該他の画像形成装置に対して、該他の画像形成装置で提供されているホットフォルダ機能で処理されるデータを送信するデータ送信手段と
を備えることを特徴とする画像形成装置。
【請求項２】
ホットフォルダ機能を用いる処理工程を含むワークフロー情報を参照し、当該ワークフロー情報で用いられているホットフォルダ機能を提供する他の画像形成装置を判定する第１判定手段を更に備え、
前記決定手段は、前記第１判定手段によって判定された他の画像形成装置から、該他の画像形成装置が提供するホットフォルダ機能の実行に必要な処理内容を示す処理情報を取得し、取得した処理情報に基づいて、前記他の画像形成装置が提供するホットフォルダ機能に必要なハードウェア上の処理部を決定することを特徴とする請求項１に記載の画像形成装置。
【請求項３】
前記決定手段は、前記他の画像形成装置から、該他の画像形成装置が提供するホットフォルダ機能の実行に必要なハードウェア上の処理部を示す情報を得ることを特徴とする請求項１に記載の画像形成装置。
【請求項４】
前記他の画像形成装置からブロードキャストされる、当該他の画像形成装置で提供されるホットフォルダ機能による処理内容を示す処理情報を受信する受信手段を更に備え、
前記決定手段は、前記他の画像形成装置から受信した、該他の画像形成装置が提供するホットフォルダ機能による処理内容を示す処理情報に基づいて、前記他の画像形成装置が提供するホットフォルダ機能に必要なハードウェア上の処理部を決定することを特徴とする請求項１に記載の画像形成装置。
【請求項５】
前記複数の処理工程を含むワークフローを実行する実行手段と、
前記実行手段によって実行されたワークフローに、前記復帰要求を送信する処理工程があるか否かを判定する第２判定手段とを更に備え、
前記要求手段は、前記第２判定手段によって前記復帰要求を送信する処理工程があると判定された場合、当該復帰要求を送信することを特徴とする請求項１乃至４のいずれか１項に記載の画像形成装置。
【請求項６】
他の画像形成装置と通信可能であり、複数の処理工程を組み合わせた一連の処理であるワークフローを実行可能な画像形成装置であって、
前記ワークフローに含まれる当該他の画像形成装置の機能を用いる処理工程の処理内容に基づいて、前記他の画像形成装置が当該処理工程の処理を実行するために必要なハードウェア上の処理部を決定する決定手段と、
前記他の画像形成装置の機能を用いる処理工程を含むワークフローを実行する場合、当該他の画像形成装置に対して、前記決定手段により決定された処理部の電源を稼働状態に復帰させる復帰要求を送信する要求手段と、
前記要求手段による復帰要求送信後に、当該他の画像形成装置に対して、該他の画像形成装置にて処理されるデータを送信するデータ送信手段と
を備えることを特徴とする画像形成装置。
【請求項７】
あらかじめ定めた格納場所に入力されたデータに対して予め定めた処理を実行するホットフォルダ機能を有する他の画像形成装置と通信可能であり、複数の処理工程を組み合わせた一連の処理であるワークフローを実行可能なコンピュータを、
前記他の画像形成装置が提供するホットフォルダ機能を用いた処理に必要なハードウェア上の処理部を、前記他の画像形成装置から受信したホットフォルダ機能に関する情報に基づいて決定する決定手段と、
前記ホットフォルダ機能を用いる処理工程を含むワークフローが選択された場合、当該ホットフォルダ機能を提供する他の画像形成装置に対して、前記決定手段により決定された処理部の電源を稼働状態に復帰させる復帰要求を送信する要求手段と、
前記要求手段による復帰要求送信後に、当該他の画像形成装置に対して、該他の画像形成装置で提供されているホットフォルダ機能で処理されるデータを送信するデータ送信手段として機能させることを特徴とするプログラム。
【請求項８】
ホットフォルダ機能を用いる処理工程を含むワークフロー情報を参照し、当該ワークフロー情報で用いられているホットフォルダ機能を提供する他の画像形成装置を判定する第１判定手段を更に備え、
前記決定手段は、前記第１判定手段によって判定された他の画像形成装置から、該他の画像形成装置が提供するホットフォルダ機能の実行に必要な処理内容を示す処理情報を取得し、取得した処理情報に基づいて、前記他の画像形成装置が提供するホットフォルダ機能に必要なハードウェア上の処理部を決定することを特徴とする請求項７に記載のプログラム。
【請求項９】
前記決定手段は、前記他の画像形成装置から、該他の画像形成装置が提供するホットフォルダ機能の実行に必要なハードウェア上の処理部を示す情報を得ることを特徴とする請求項７に記載のプログラム。
【請求項１０】
前記他の画像形成装置からブロードキャストされる、当該他の画像形成装置で提供されるホットフォルダ機能による処理内容を示す処理情報を受信する受信手段としてコンピュータを更に機能させ、
前記決定手段は、前記他の画像形成装置から受信した、該他の画像形成装置が提供するホットフォルダ機能による処理内容を示す処理情報に基づいて、前記他の画像形成装置が提供するホットフォルダ機能に必要なハードウェア上の処理部を決定することを特徴とする請求項７に記載のプログラム。
【請求項１１】
前記複数の処理工程を含むワークフローを実行する実行手段と、
前記実行手段によって実行されたワークフローに、前記復帰要求を送信する処理工程があるか否かを判定する第２判定手段としてコンピュータを更に機能させ、
前記要求手段は、前記第２判定手段によって前記復帰要求を送信する処理工程があると判定された場合、当該復帰要求を送信することを特徴とする請求項７乃至１０のいずれか１項に記載のプログラム。
【請求項１２】
他の画像形成装置と通信可能であり、複数の処理工程を組み合わせた一連の処理であるワークフローを実行可能なコンピュータを、
前記ワークフローに含まれる当該他の画像形成装置の機能を用いる処理工程の処理内容に基づいて、前記他の画像形成装置が当該処理工程の処理を実行するために必要なハードウェア上の処理部を決定する決定手段と、
前記他の画像形成装置の機能を用いる処理工程を含むワークフローを実行する場合、当該他の画像形成装置に対して、前記決定手段により決定された処理部の電源を稼働状態に復帰させる復帰要求を送信する要求手段と、
前記要求手段による復帰要求送信後に、当該他の画像形成装置に対して、該他の画像形成装置にて処理されるデータを送信するデータ送信手段と
して機能させることを特徴とするプログラム。
【請求項１３】
あらかじめ定めた格納場所に入力されたデータに対して予め定めた処理を実行するホットフォルダ機能を有する他の画像形成装置と通信可能であり、複数の処理工程を組み合わせた一連の処理であるワークフローを実行可能な画像形成装置の制御方法であって、
決定手段が、前記他の画像形成装置が提供するホットフォルダ機能を用いる処理に必要なハードウェア上の処理部を、前記他の画像形成装置から受信したホットフォルダ機能に関する情報に基づいて決定する決定工程と、
要求手段が、前記ホットフォルダ機能を用いる処理工程を含むワークフローが選択された場合、当該ホットフォルダ機能を提供する他の画像形成装置に対して、前記決定工程により決定された処理部の電源を稼働状態に復帰させる復帰要求を送信する要求工程と、
前記要求工程による復帰要求送信後に、当該他の画像形成装置に対して、該他の画像形成装置で提供されているホットフォルダ機能で処理されるデータを送信するデータ送信工程と
を備えることを特徴とする画像形成装置の制御方法。
【請求項１４】
他の画像形成装置と通信可能であり、複数の処理工程を組み合わせた一連の処理であるワークフローを実行可能な画像形成装置の制御方法であって、
決定手段が、前記ワークフローに含まれる当該他の画像形成装置の機能を用いる処理工程の処理内容に基づいて、前記他の画像形成装置が当該処理工程の処理を実行するために必要なハードウェア上の処理部を決定する決定工程と、
要求手段が、前記他の画像形成装置の機能を用いる処理工程を含むワークフローを実行する場合、当該他の画像形成装置に対して、前記決定手段により決定された処理部の電源を稼働状態に復帰させる復帰要求を送信する要求工程と、
データ送信手段が、前記要求工程による復帰要求送信後に、当該他の画像形成装置に対して、該他の画像形成装置にて処理されるデータを送信するデータ送信工程と
を備えることを特徴とする画像形成装置の制御方法。
【手続補正２】
【補正対象書類名】明細書
【補正対象項目名】００１２
【補正方法】変更
【補正の内容】
【００１２】
上記目的を達成するために本発明は以下の構成を備える。すなわち、
あらかじめ定めた格納場所に入力されたデータに対して予め定めた処理を実行するホットフォルダ機能を有する他の画像形成装置と通信可能であり、複数の処理工程を組み合わせた一連の処理であるワークフローを実行可能な画像形成装置であって、
前記他の画像形成装置が提供するホットフォルダ機能を用いる処理に必要なハードウェア上の処理部を、前記他の画像形成装置から受信したホットフォルダ機能に関する情報に基づいて決定する決定手段と、
前記ホットフォルダ機能を用いる処理工程を含むワークフローが選択された場合、当該ホットフォルダ機能を提供する他の画像形成装置に対して、前記決定手段により決定された処理部の電源を稼働状態に復帰させる復帰要求を送信する要求手段と、
前記要求手段による復帰要求送信後に、当該他の画像形成装置に対して、該他の画像形成装置で提供されているホットフォルダ機能で処理されるデータを送信するデータ送信手段とを備える。
【手続補正３】
【補正対象書類名】明細書
【補正対象項目名】発明の名称
【補正方法】変更
【補正の内容】
【発明の名称】画像形成装置及びその制御方法、プログラム